(57)【要約】【課題】本発明は、浄水器本体内にハウジングを介することなくフィルタ−を直接的に内設し、その濾過面積を大にして寿命を著しくアップせしめ、また、濾過抵抗を低減せしめてスム−ズな浄水処理を効率よく行うことが出来るのみならず、全体として安価に製作することが出来る地球環境にやさしい浄水器及び浄水器シャワ−を提供するものである。【解決手段】給水口３・１５と取水口６・１８とを備えた浄水器本体２・１６内に所要数のフィルタ−７・８・１９・２０が内設され、浄水器本体２・１６内には該フィルタ−８・２０を介して給水用流水路１３・２５が区画形成されると共に、フィルタ−７・２０を通して取水口６・１８より取水すべく構成されている。また、上記浄水器１ａ・１ｂは少くとも２個連結して浄水器１ｃが構成され、さらに、シャワ−本体２９に接続して浄水器シャワ−２７が構成されている。【選択図】        図１
2005013956.tif 000002
【特許請求の範囲】
【請求項１】
給水口と取水口とを備えた浄水器本体内に所要数のフィルタ−が内設され、浄水器本体内には該フィルタ−を介して給水用流水路が区画形成されると共に、フィルタ−を通して取水口より取水すべく構成されてなることを特徴とする、浄水器。
【請求項２】
浄水器本体内に少くとも外筒状フィルタ−と内筒状フィルタ−とが２層状に内設され、浄水器本体内には該内筒状フィルタ−を介して給水用流水路が区画形成されると共に、外筒状フィルタ−を通して取水口より取水すべく構成されてなることを特徴とする、請求項１記載の浄水器。
【請求項３】
浄水器本体内にその内径より小径状とされた外径を有する外筒状フィルタ−が内設され、該外筒状フィルタ−内には少くとも円柱状フィルタ−が内設され、浄水器本体内には外筒状フィルタ−を介して給水用流水路が区画形成されると共に、円柱状フィルタ−を通して取水口より取水すべく構成されてなることを特徴とする、請求項１記載の浄水器。
【請求項４】
フィルタ−が少くとも粗目状のフィルタ−と密目状のフィルタ−とより構成されてなることを特徴とする、請求項１〜３記載の浄水器。
【請求項５】
フィルタ−が浄水器本体内に着脱自在に内設されてなることを特徴とする、請求項１〜４記載の浄水器。
【請求項６】
請求項１〜５記載のいづれかの浄水器を少くとも２個連結して構成されてなることを特徴とする、浄水器。
【請求項７】
請求項１〜５記載のいづれかの浄水器を具備せしめてなることを特徴とする、浄水器シャワ−。
【発明の詳細な説明】
【０００１】
【発明の属する技術分野】
本発明は、浄水器及び浄水器シャワ−に関するものである。
【０００２】
【従来の技術】
水道水中の塩素は、飲料水として臭い除去や殺菌のために水道法に従い浄水場で添加されている。しかしながら、塩素はたんぱく質を破壊する作用も知られており、そのため、使用前に水道水中に含まれる残留塩素を取り除くために、浄水器が発明された。水道水の原水である河川や地下水の汚染が著しくなってきた近年、環境や健康の意識が高まる中、当初の塩素を取り除くことばかりでなく、浄水器に求められることも変化して来た。例えば、さらに強力な殺菌作用が求められたりするのは言うまでもなく、かつ、おいしい水、健康に良い水が求められてきている。さらには、健康や癒しを手近に得るために、薬剤徐放、温泉効果や芳香のある浄水シャワ−まで求められて来ているものである。
【０００３】
ところで、従来より、この種の浄水器、及び浄水器シャワ−としては、給水口と取水口とを備えた所要形状の浄水器本体内にフィルタ−カ−トリッジが着脱自在に内設されると共に、該フィルタ−カ−トリッジは給取水口を備えた略容器状ハウジング内に所要のフィルタ−を充填せしめた基本構成よりなるものが知られている。
そして、上記カ−トリッジの一例として、特開平１１−２６７６３５号公報（特許文献１）には、給取水口を備えた略容器状ハウジング内に金属繊維と不織布内に封入された亜硫酸カルシウムとからなる浄水処理用フィルタ−と、トルマリンを含む水質調整用フィルタ−とが充填されたものが提案されている。また、特開２００２−２３９５３９号公報（特許文献２）には、給取水口を備えたハウジングが外側ケ−スと内側ケ−スとより構成され、該内外側ケ−ス間には活性炭が充填されると共に、内側ケ−スの一端側には不織布が、内側ケ−ス内には中空糸膜が各々充填されたものが提案されている。さらに、特開２００２−３０１３１１号公報（特許文献３）には、給取水口を備えたハウジング内に内部流路を備えた円柱状フィルタ−が内設されると共に、該フィルタ−はその一端部より他端部に向けて初期濾過抵抗を小さくせしめたものが提案されている。
【０００４】
【特許文献１】
特開平１１−２６７６３５号公報
【特許文献２】
特開２００２−２３９５３９号公報
【特許文献３】
特開２００２−３０１３１１号公報
【０００５】
【発明が解決しようとする課題】
しかしながら、上述の如く構成された従来例は、脱塩素・脱臭・除塵・抗菌効果や濾過抵抗を低減せしめる等の効果を有する反面、給取水口を有する容器状ハウジング内に所要のフィルタ−を充填せしめるものであるから、カ−トリッジを交換するさいにはカ−トリッジハウジング材を廃棄しなければならず、地球環境の面から問題があるものである。また、構造が複雑化し、製作が非常に面倒で手間がかかるのみならず、全体としてコスト高となり、しかも、必然的にフィルタ−の種類や数、充填量が制約されて濾過面積を大にすることが出来ないものである。このため、フィルタ−の寿命が短いのみならず、水道から給水される水は浄水器及び浄水器シャワ−内で大きな濾過抵抗を生起せしめ、スム−ズな浄水処理が阻害されやすいものである。
【０００６】
本発明は従来の問題点を解決し、浄水器本体内にハウジングを介することなく所要のフィルタ−を直接的に内設せしめ、その濾過面積を大にして寿命を著しくアップせしめることが出来るのみならず、浄水器及び浄水器シャワ−内における給水の濾過抵抗を低減せしめて常にスム−ズな浄水処理を効率よく行うことが出来、しかも、全体として安価に製作することが出来る地球環境にやさしい浄水器及び浄水器シャワ−を提供しようとするものである。
【０００７】
【課題を解決するための手段】
上記の目的を達成するため、請求項１記載の発明は、給水口と取水口とを備えた浄水器本体内に所要数のフィルタ−が内設され、浄水器本体内には該フィルタ−を介して給水用流水路が区画形成されると共に、フィルタ−を通して取水口より取水すべく構成されてなることを特徴とする、浄水器を要旨とするものである。
そして、上記請求項１記載の浄水器において、浄水器本体内には少くとも外筒状フィルタ−と内筒状フィルタ−とが２層状に内設され、浄水器本体内には該内筒状フィルタ−を介して給水用流水路が区画形成されると共に、外筒状フィルタ−を通して取水口より取水すべく構成されている。また、浄水器本体内にはその内径より小径状とされた外径を有する外筒状フィルタ−が内設され、該外筒状フィルタ−内には少くとも円柱状フィルタ−が内設され、浄水器本体内には外筒状フィルタ−を介して給水用流水路が区画形成されると共に、円柱状フィルタ−を通して取水口より取水すべく構成されている。さらに、フィルタ−は少くとも粗目状のフィルタ−と密目状のフィルタ−とより構成され、浄水器本体内に着脱自在に内設されている。
【０００８】
請求項６記載の発明は、請求項１〜５記載のいづれかの浄水器を少なくとも２個連結して構成されてなることを特徴とする、浄水器を要旨とするものである。
【０００９】
請求項７記載の発明は、請求項１〜５記載のいづれかの浄水器を具備せしめてなることを特徴とする、浄水器シャワ−を要旨とするものである。
【００１０】
【発明の実施の形態】
以下に、本発明の実施の形態を図面に示す一実施例に基づいて説明する。
図１は本発明の第１実施例を示す垂直断面図で、同図中、１ａは浄水器、２は該浄水器１ａを構成する所要の径と高さを備えた有底円筒状の浄水器本体、３は該浄水器本体２の底壁中心に形成された給水口、４は浄水器本体２の上端部に締付けナット５を介して水密状に開閉自在に取付けられた蓋体、６は給水口３に対応すべく該蓋体４の中心に形成された取水口である。７・８は前記浄水器本体２内に着脱自在に内設された粗目状の外筒状フィルタ−と密目状の内筒状フィルタ−で、該内外筒状フィルタ−８・７はプラスチック製パンチング材等よりなる保形部材９を介して内外２層状に保形化されると共に、外筒状フィルタ−７の材質としては濾過機能と共に取水流路としての機能を併有せしめるべく粗粒状の濾過材１０が、内筒状フィルタ−８の材質としては微粒状の濾過材１１が各々用いられている。そして、上記外筒状フィルタ−７の寸法は、外径９０ｍｍ，内径７０ｍｍに、また、内筒状フィルタ−８の寸法は外径７０ｍｍ、内径３０ｍｍ、長さ１５０ｍｍに設定せしめ、濾過面積に比して濾過流路長を短くすることによりその比ηを
η＝濾過流路長／濾過面積＝４．２×１０−５
にして浄水器本体２内における給水の濾過抵抗を低減せしめるものとされている。１２は該内筒状フィルタ−８の上端部に取付けられた閉塞板、１３は内筒状フィルタ−８を介して浄水器本体２の中心に区画形成された給水用流水路である。
【００１１】
なお、上記外筒状フィルタ−７を構成する濾過材１０としては、麦飯石、化石サンゴ、石灰石、輝石、珪灰石、アルミナ、セラミックや磁石など種々のミネラルを徐放する鉱物や焼結体が用いられるが、本実施例では、良質の粘土と竹炭粉末を焼成した竹炭セラミック粒（藤岡社製）２０ｇと二股温泉にふくまれる石灰華を焼成した二股温泉セラミック（セイコ−エンタ−プライズ社製）５５ｇとを混合せしめた濾過材を用いている。竹炭セラミックは、竹炭４０重量部、珪藻土２０重量部、ベントナイト３０重量部、フリット１０重量部から成る。二股温泉セラミックは、石灰華４０重量部、貴宝石３０重量部、ＳＰライト３０重量部から成る。竹炭セラミック及び二股温泉セラミックの組成、及び竹炭セラミック及び二股温泉セラミックの混合比は本実施例に制限されるものではない。竹炭セラミックは、竹炭から溶出するカリウム及びカリウムイオンは気持ちを落ち着かせるリラックス効果が期待されることが知られている。また、二股温泉セラミックは、石灰華の主成分である炭酸成分により疲労回復、種々の病気に対する治癒効果が期待されていることが知られている。なお、外筒状フィルタ−７は、微量なミネラルやイオン効果が知られているものであれば通常に用いられる公知のものを用いることが出来、特に制限されるものではない。但し、外筒状フィルタ−７に用いられる濾過材料は、食品添加物などの安全性が保証されたものが好ましいことは言うまでもない。
【００１２】
また、上記内筒状フィルタ−８を構成する濾過材１１としては、活性炭、亜硫酸カルシウムなどが挙げられる。活性炭は、粒状炭、成形炭、繊維状活性炭などの形態、ヤシ殻活性炭、木炭、ピッチ系活性炭、石油コ−クス系活性炭などの原料、及び抗菌剤、銀など添着処理したものが使われる。また、亜硫酸カルシウムは、粉状、粒状体、成形体など特に制限されるものではない。本実施例では、活性炭にトルマリン添着処理がされたもの（サンテクニクス社製）を用いる。トルマリンは電気石とも呼ばれる珪硼酸塩鉱物であり、その分極性が強く、そのため水や水中の含有物を活性化させる作用を有することが知られている。活性炭とトルマリンとの相乗効果によって、残留塩素やその他の臭気成分、有機物を除去する効果を有し、かつ水を活性化させる効果まで期待されるものである。内筒状フィルタ−８の濾過材１１は残留塩素やその他の臭気成分、有機物を除去、殺菌作用のあるものであれば通常に用いられる公知のものを用いることが出来、特に制限されるものではない。
【００１３】
上述の如く構成された第１実施例は、図１に矢印で示すように、水道水を給水口３より浄水器本体２内の給水用流水路１３に導入せしめる。そして、順次内外筒状フィルタ−８・７に浸透せしめて濾過し、浄水を取水口６より取水せしめる。このさい、外筒状フィルタ−７は粗粒状の濾過材１０により形成されているから、濾過機能のみならず取水流路としての機能を有効に発揮し、浄水効率をアップせしめることが出来るものである。また、内外筒状フィルタ−８・７は浄水器本体２内に直接的に内設せしめられているから、フィルタ−の種類や数、またその充填量を大にせしめることが出来るものであって、ひいては、濾過面積を大にして寿命を著しくアップせしめることが出来るのみならず、浄水器本体２における給水の濾過抵抗を低減せしめ、常にスム−ズな浄水処理を効率よく行うことが出来るものである。
そして、内外筒状フィルタ−８・７が所定の寿命に達した時点で蓋体４を浄水器本体２より外して取出し、交換せしめるとよい。
【００１４】
図２は第２実施例を示す垂直断面図で、同図中、１ｂは浄水器、１４は浄水器１ｂを構成する偏平な有底円筒状の基台、１５は該基台１４の一側に形成された給水口、１６は基台１４上に締付けナット１７を介して水密状に着脱自在に取付けられた上端部が閉塞状の円筒状浄水器本体、１８は該浄水器本体１６の頂壁中心に形成された取水口、１９は浄水器本体１６内に取付け部材２１を介して着脱自在に内設された密目状の外筒状フィルタ−で、該外筒状フィルタ−１９の外径は浄水器本体１６の内径より小径状に設定せしめられている。２０は該外筒状フィルタ−１９内に充填された粗目状の円柱状フィルタ−で、外筒状フィルタ−１９・円柱状フィルタ−２０はプラスチック製パンチング材等よりなる保形部材２２を介して内外２層状に保形化されると共に、外筒状フィルタ−１９の材質としては微粒状の濾過材２３が、円柱状フィルタ−２０の材質としては粗粒状の濾過材２４が各々用いられている。２５は上記外筒状フィルタ−１９を介して浄水器本体１６内に区画形成された給水用流水路で、該給水用流水路２５は前記給水口１５に連通せしめられている。なお、上記外筒状フィルタ−１９を構成する濾過材２３は前記第１実施例に示された内筒状フィルタ−８の濾過材１１と同一であり、円柱状フィルタ−２０を構成する濾過材２４は同外筒状フィルタ−７の濾過材１０と同一である。また、外筒状フィルタ−１９及び円柱状フィルタ−２０は、濾過面積に比して濾過流路長を短くすることにより濾過抵抗を低減せしめるべく、外筒状フィルタ−１９の寸法は外径７０ｍｍ，内径３０ｍｍ，高さ２５０ｍｍに、また、円柱状フィルタ−２０の寸法は外径３０ｍｍ，高さ２５０ｍｍに各々設定せしめられている。
【００１５】
上述の如く構成された第２実施例は、図２に矢印で示すように、水道水を給水口１５より浄水器本体１６内の給水用流水路２５に導入せしめる。そして、順次外筒状フィルタ−１９・円柱状フィルタ−２０に浸透せしめて濾過し、浄水を取水口１８より取水せしめる。このさい、円柱状フィルタ−２０は粗目状の濾過材２４より構成されているから、濾過機能のみならず取水流路としての機能を有効に発揮し、浄水効率をアップせしめることが出来る。また、外筒状フィルタ−１９・円柱状フィルタ−２０は浄水器本体１６内に直接的に内設せしめられているから、フィルタ−の種類や数、またその充填量を大にせしめることが出来るものであって、ひいては、濾過面積を大にして寿命を著しくアップせしめることが出来るのみならず、浄水器本体１６内における給水の濾過抵抗を低減せしめ、常にスム−ズな浄水処理を効率よく行うことが出来るものである。
そして、外筒状フィルタ−１９・円柱状フィルタ−２０が所定の寿命に達した時点で、浄水器本体１６を基台１４より外して取出し、交換せしめるとよい。
【００１６】
図３は浄水器１ｃの第３実施例を示す垂直断面図で、浄水率をアップせしめるべく前記第２実施例に示された浄水器１ｂを連結ホ−ス２６を介して接続せしめた点が前記第２実施例と相違し、他の部分は同一であり、同一符号は同一部分を示す。
【００１７】
図４は浄水器シャワ−２７を示す垂直断面図で、前記第２実施例に示された浄水器１ｂにフレキシブル状ホ−ス２８を介してシャワ−本体２９が接続された点が第２実施例と相違し、他の部分は同一であり、同一符号は同一部分を示す。
【００１８】
なお、上記第１実施例において、浄水器本体２内には内外筒状フィルタ−８・７が内外２層状に内設されているが、これに限定されるものでなく、その個数を必要に応じて増減せしめ、あるいは他のフィルタ−を介在せしめてもよいものである。
また、第２〜４実施例において、浄水器本体１６内には外筒状フィルタ−１９・円柱状フィルタ−２０が内外２層状に内設されているが、これに限定されるものでなく、その個数を必要に応じて増減せしめ、あるいは他のフィルタ−を介在せしめてもよいものである。
さらに、第３実施例は第２実施例の浄水器１ｂを連結せしめるものとされているが、その個数を必要に応じて増加せしめ、あるいは、第１実施例に示す浄水器１ａを所要数連結せしめ、また、第１・第２実施例に示す浄水器１ａ・１ｂを適宜連結せしめるべく構成してもよいものである。
さらに加えて、第４実施例は第２実施例の浄水器１ｂをシャワ−本体２９に接続するものとされているが、これに限定されるものでなく、第１実施例に示す浄水器１ａを接続せしめてもよいものである。
【００１９】
【発明の効果】
本発明によれば以上の次第で、カ−トリッジハウジングを必要としない浄水器及び浄水器シャワ−であるから、フィルタ−交換時には従来例のようにカ−トリッジハウジング材を廃棄することがなく、地球環境に好ましいものである。また、浄水器本体内におけるフィルタ−の種類や数、充填量を大にせしめることが出来るものであって、ひいては、濾過面積を大にして濾過寿命をアップせしめることが出来るのみならず、浄水器本体内における給水の濾過抵抗を低減せしめ、常にスム−ズな浄水処理を効率よく行うことが出来るものである。さらに、フィルタ−は浄水器本体内に直接内設せしめるものであるから、従来例に比して構造が簡単であり、その製作を容易に、しかも、安価に行うことが出来るものである。
【図面の簡単な説明】
【図１】本発明の一実施例を示す浄水器１ａの垂直断面図である。
【図２】本発明の一実施例を示す浄水器１ｂの垂直断面図である。
【図３】本発明の一実施例を示す浄水器１ｃの垂直断面図である。
【図４】本発明の一実施例を示す浄水器シャワ−２７の垂直断面図である。
【符号の説明】
１ａ・１ｂ・１ｃ  浄水器
２    浄水器本体
３    給水口
６    取水口
７    外筒状フィルタ−
８    内筒状フィルタ−
１３  給水用流水路
１５  給水口
１６  浄水器本体
１８  取水口
１９  外筒状フィルタ−
２０  円柱状フィルタ−
２５  給水用流水路
２６  連結ホ−ス
２７  浄水器シャワ−
２８  ホ−ス
２９  シャワ−本体
【図１】
2005013956.tif 000003
【図２】
2005013956.tif 000004
【図３】
2005013956.tif 000005
【図４】
2005013956.tif 000006